(57)【特許請求の範囲】
【請求項１】
複数チャネルのシリアルデータを受信する受信装置であって、
前記複数チャネルのうちの何れかの特定チャネルについて設けられ、この特定チャネルのシリアルデータを入力して、この入力したシリアルデータに基づいて復元した復元クロックおよび復元データを出力する復元部を含む特定受信部と、
前記複数チャネルのうちの前記特定チャネル以外の各チャネルについて設けられ、各チャネルのシリアルデータを入力して、この入力したシリアルデータに基づいて復元した復元データを出力する受信部と、
を備え、
前記受信部が、
入力したシリアルデータを、サンプリングクロックが指示するタイミングでサンプリングして、そのサンプリングしたデータを復元データとして出力するサンプラと、
前記復元データと前記サンプリングクロックとの間で位相を比較する位相比較部と、
前記位相比較部による位相比較結果に基づいて位相を調整した前記サンプリングクロックを前記復元クロックに基づいて生成して出力する位相補間部と、
を含む、
受信装置。
【請求項２】
複数チャネルのシリアルデータを受信する受信装置であって、
前記複数チャネルのうちの何れかの特定チャネルについて設けられ、この特定チャネルのシリアルデータを入力して、この入力したシリアルデータに基づいて復元した復元クロックを出力する復元部を含む特定受信部と、
前記複数チャネルのうちの前記特定チャネル以外の各チャネルについて設けられ、各チャネルのシリアルデータを入力して、この入力したシリアルデータに基づいて復元した復元データを出力する受信部と、
を備え、
前記特定受信部および前記受信部それぞれが、
入力したシリアルデータを、サンプリングクロックが指示するタイミングでサンプリングして、そのサンプリングしたデータを復元データとして出力するサンプラと、
前記復元データと前記サンプリングクロックとの間で位相を比較する位相比較部と、
前記位相比較部による位相比較結果に基づいて位相を調整した前記サンプリングクロックを前記復元クロックに基づいて生成して出力する位相補間部と、
を含む、
受信装置。
【請求項３】
複数チャネルのシリアルデータを受信する受信装置であって、
前記複数チャネルのうちの何れかのチャネルのシリアルデータに基づいて復元した復元クロックを出力する復元部と、
前記複数チャネルそれぞれについて設けられ、各チャネルのシリアルデータを入力して、この入力したシリアルデータに基づいて復元した復元データを出力する受信部と、
前記複数チャネルのシリアルデータそれぞれの受信時のデータ品質に基づいて、前記複数チャネルのうちの何れかのチャネルのシリアルデータを選択して、その選択したシリアルデータを前記復元部に与える選択部と、
を備え、
前記復元部が、前記選択部により与えられたシリアルデータに基づいて復元クロックを出力し、
前記受信部が、
入力したシリアルデータを、サンプリングクロックが指示するタイミングでサンプリングして、そのサンプリングしたデータを復元データとして出力するサンプラと、
前記復元データと前記サンプリングクロックとの間で位相を比較する位相比較部と、
前記位相比較部による位相比較結果に基づいて位相を調整した前記サンプリングクロックを前記復元クロックに基づいて生成して出力する位相補間部と、
を含む、
受信装置。
【請求項４】
複数チャネルのシリアルデータを受信する受信装置であって、
前記複数チャネルのうちの何れかのチャネルのシリアルデータに基づいて復元した復元クロックを出力する復元部と、
前記複数チャネルそれぞれについて設けられ、各チャネルのシリアルデータを入力して、この入力したシリアルデータに基づいて復元した復元データを出力する受信部と、
前記複数チャネルのシリアルデータそれぞれの受信時のデータ品質に基づいて、前記複数チャネルそれぞれについて設けられた前記受信部のうちの何れかの受信部による位相比較結果を選択して、その選択した位相比較結果を前記復元部に与える選択部と、
を備え、
前記復元部が、前記選択部により与えられた位相比較結果に基づいて復元クロックを出力し、
前記受信部が、
入力したシリアルデータを、サンプリングクロックが指示するタイミングでサンプリングして、そのサンプリングしたデータを復元データとして出力するサンプラと、
前記復元データと前記サンプリングクロックとの間で位相を比較する位相比較部と、
前記位相比較部による位相比較結果に基づいて位相を調整した前記サンプリングクロックを前記復元クロックに基づいて生成して出力する位相補間部と、
を含む、
受信装置。
【請求項５】
前記受信部が、前記復元クロックを分周した分周クロックを前記位相補間部に与える分周部を更に含み、
前記位相補間部が、前記位相比較部による位相比較結果に基づいて位相を調整した前記サンプリングクロックを前記分周クロックに基づいて生成して出力する、
請求項１〜４の何れか１項に記載の受信装置。
【発明の詳細な説明】
【技術分野】
【０００１】
本発明は、複数チャネルのシリアルデータを受信する受信装置に関するものである。
【背景技術】
【０００２】
複数チャネルのシリアルデータを受信する受信装置は、複数チャネルそれぞれについて受信部を備える。各受信部は、複数チャネルのうち対応するチャネルのシリアルデータを入力して、その入力したシリアルデータに基づいて復元した復元クロックおよび復元データを出力する復元部を含む。このような復元技術はＣＤＲ（Clock Data Recovery）として知られている。受信装置の各チャネルの受信部が復元部を含む構成とすると、受信装置を半導体基板上に形成する場合、必要面積が大きくなり、コストが高くなる。
【０００３】
特許文献１に記載された受信装置は、参照クロックを入力して該参照クロックに基づいてサンプリングクロックを生成するＰＬＬ（Phase Lock Loop）を備える。この受信装置の各チャネルの受信部は、ＰＬＬから出力されたサンプリングクロックを用いて、入力したシリアルデータをサンプリングして、そのサンプリングしたデータを復元データとして出力する。このような受信装置を半導体基板上に形成する場合、各受信部の必要面積を小さくすることができる。
【先行技術文献】
【特許文献】
【０００４】
【特許文献１】米国特許第７０５８１５０号明細書
【発明の概要】
【発明が解決しようとする課題】
【０００５】
しかし、特許文献１に記載された受信装置は、ＰＬＬに与える参照クロックを生成する発振回路を実装基板上に設けることが必要となる。これにより、部品コストが高くなり、実装基板の面積が大きくなって実装基板上のコストが増加する。また、受信装置が画像データをシリアルデータとして受信する場合、送受信される画像データのビットレート（伝送速度）が画像の画素数によって異なることから、そのビットレートに応じて参照クロックの周波数を変更する必要があるが、参照クロックの周波数を変更するには、外部素子（発振回路）を交換する必要があり、この点でもコストが高くなる。
【０００６】
本発明は、上記問題点を解消する為になされたものであり、受信する複数チャネルのシリアルデータのビットレートが時間的に一定でない場合であってもコストを低減することができる受信装置を提供することを目的とする。
【課題を解決するための手段】
【０００７】
本発明の第１態様の受信装置は、複数チャネルのシリアルデータを受信する受信装置であって、(1) 複数チャネルのうちの何れかの特定チャネルについて設けられ、この特定チャネルのシリアルデータを入力して、この入力したシリアルデータに基づいて復元した復元クロックおよび復元データを出力する復元部を含む特定受信部と、(2) 複数チャネルのうちの特定チャネル以外の各チャネルについて設けられ、各チャネルのシリアルデータを入力して、この入力したシリアルデータに基づいて復元した復元データを出力する受信部と、を備える。
【０００８】
また、受信部は、(a) 入力したシリアルデータを、サンプリングクロックが指示するタイミングでサンプリングして、そのサンプリングしたデータを復元データとして出力するサンプラと、(b) 復元データとサンプリングクロックとの間で位相を比較する位相比較部と、(c) 位相比較部による位相比較結果に基づいて位相を調整したサンプリングクロックを復元クロックに基づいて生成して出力する位相補間部と、を含む。
【０００９】
本発明の第２態様の受信装置は、複数チャネルのシリアルデータを受信する受信装置であって、(1) 複数チャネルのうちの何れかの特定チャネルについて設けられ、この特定チャネルのシリアルデータを入力して、この入力したシリアルデータに基づいて復元した復元クロックを出力する復元部を含む特定受信部と、(2) 複数チャネルのうちの特定チャネル以外の各チャネルについて設けられ、各チャネルのシリアルデータを入力して、この入力したシリアルデータに基づいて復元した復元データを出力する受信部と、を備える。特定受信部および受信部それぞれは、上記と同様のサンプラ、位相比較部および位相補間部を含む。
【００１０】
本発明の第３態様の受信装置は、複数チャネルのシリアルデータを受信する受信装置であって、(1) 複数チャネルのうちの何れかのチャネルのシリアルデータに基づいて復元した復元クロックを出力する復元部と、(2) 複数チャネルそれぞれについて設けられ、各チャネルのシリアルデータを入力して、この入力したシリアルデータに基づいて復元した復元データを出力する受信部と、を備える。受信部は、上記と同様のサンプラ、位相比較部および位相補間部を含む。
【００１１】
本発明の第３態様の受信装置は、複数チャネルのうちの何れかのチャネルのシリアルデータを選択して、その選択したシリアルデータを復元部に与える選択部を更に備え、復元部が、選択部により与えられたシリアルデータに基づいて復元クロックを出力するのが好適である。このとき、選択部が、複数チャネルのシリアルデータそれぞれのデータ品質に基づいて、複数チャネルのうちの何れかのチャネルのシリアルデータを選択するのが好適である。
【００１２】
本発明の第３態様の受信装置は、複数チャネルそれぞれについて設けられた受信部のうちの何れかの受信部の位相比較部による位相比較結果を選択して、その選択した位相比較結果を復元部に与える選択部を更に備え、復元部が、選択部により与えられた位相比較結果に基づいて復元クロックを出力するのが好適である。このとき、選択部が、複数チャネルのシリアルデータそれぞれのデータ品質に基づいて、複数チャネルそれぞれについて設けられた受信部のうちの何れかの受信部の位相比較部による位相比較結果を選択するのが好適である。
【００１３】
本発明の第１〜第３の態様それぞれにおいて、受信部が、復元クロックを分周した分周クロックを位相補間部に与える分周部を更に含み、位相補間部が、位相比較部による位相比較結果に基づいて位相を調整したサンプリングクロックを分周クロックに基づいて生成して出力するのが好適である。
【発明の効果】
【００１４】
本発明の受信装置は、受信する複数チャネルのシリアルデータのビットレートが時間的に一定でない場合であってもコストを低減することができる。
【図面の簡単な説明】
【００１５】
【図１】図１は、第１実施形態の受信装置１の構成を示す図である。
【図２】図２は、各受信部１２ｎのサンプラ２０１および位相比較部２０２の回路の構成例を示す図である。
【図３】図３は、第２実施形態の受信装置２の構成を示す図である。
【図４】図４は、特定受信部２１の復元部１０２の構成例を示す図である。
【図５】図５は、第３実施形態の受信装置３の構成を示す図である。
【図６】図６は、第４実施形態の受信装置４の構成を示す図である。
【図７】図７は、第５実施形態の受信装置５の構成を示す図である。
【図８】図８は、第６実施形態の受信装置６の構成を示す図である。
【発明を実施するための形態】
【００１６】
以下、添付図面を参照して、本発明を実施するための形態を詳細に説明する。なお、図面の説明において同一の要素には同一の符号を付し、重複する説明を省略する。本発明は、これらの例示に限定されるものではなく、特許請求の範囲によって示され、特許請求の範囲と均等の意味および範囲内でのすべての変更が含まれることが意図される。
【００１７】
（第１実施形態）
図１は、第１実施形態の受信装置１の構成を示す図である。受信装置１は、ＮチャネルのシリアルデータSer_Data[1]〜Ser_Data[N]を受信する。受信装置１は、１個の特定受信部１１および(Ｎ−１)個の受信部１２２〜１２Ｎを備える。(Ｎ−１)個の受信部１２２〜１２Ｎは同様の構成を有する。なお、Ｎは２以上の整数であり、ｎは２以上Ｎ以下の各整数である。Ｎチャネルのうち第１チャネルを特定チャネルとする。
【００１８】
特定受信部１１は、第１チャネル（特定チャネル）について設けられたものであり、第１チャネルのシリアルデータSer_Data[1]を入力する。特定受信部１１は、復元部１０１を含む。復元部１０１は、第１チャネルのシリアルデータSer_Data[1]を入力して、この入力したシリアルデータSer_Data[1]に基づいて復元した復元クロックRec_Clockおよび復元データRec_Data[1]を出力する。
【００１９】
(Ｎ−１)個の受信部１２２〜１２Ｎのうちの第ｎの受信部１２ｎは、第ｎチャネルについて設けられたものであり、第ｎチャネルのシリアルデータSer_Data[n]を入力する。そして、受信部１２ｎは、この入力したシリアルデータSer_Data[n]に基づいて復元した復元データRec_Data[n]を出力する。受信部１２ｎは、サンプラ２０１、位相比較部２０２および位相補間部２０３を含む。
【００２０】
受信部１２ｎのサンプラ２０１は、第ｎチャネルのシリアルデータSer_Data[n]を入力するとともに、位相補間部２０３から出力されるサンプリングクロックSmp_Clock[n]を入力する。サンプラ２０１は、サンプリングクロックSmp_Clock[n]が指示するタイミングでシリアルデータSer_Data[n]をサンプリングして、そのサンプリングしたデータを復元データRec_Data[n]として出力する。
【００２１】
受信部１２ｎの位相比較部２０２は、サンプラ２０１から出力された復元データRec_Data[n]を入力するとともに、位相補間部２０３から出力されるサンプリングクロックSmp_Clock[n]を入力する。位相比較部２０２は、復元データRec_Data[n]とサンプリングクロックSmp_Clock[n]との間で位相を比較する。
【００２２】
位相補間部２０３は、位相比較部２０２による位相比較結果に基づいて位相を調整したサンプリングクロックSmp_Clock[n]を、復元クロックRec_Clockに基づいて生成して出力する。位相補間部２０３は、入力した復元クロックRec_Clockに対し２πｍ／Ｍだけ位相シフトしたサンプリングクロックSmp_Clock[n]を生成することができる。なお、Ｍは２以上の整数であり、ｍは０以上Ｍ未満の任意の整数である。
【００２３】
図２は、各受信部１２ｎのサンプラ２０１および位相比較部２０２の回路の構成例を示す図である。この回路は、フリップフロップ３０１〜３０４および排他的論理和回路３０５，３０６を含む。
【００２４】
フリップフロップ３０１は、シリアルデータSer_Data[n]をサンプリングクロックSmp_Clock[n]の立上りエッジのタイミングでラッチし、そのラッチしたデータを出力する。フリップフロップ３０２は、フリップフロップ３０１から出力されたデータをサンプリングクロックSmp_Clock[n]の立上りエッジのタイミングでラッチし、そのラッチしたデータを出力する。フリップフロップ３０２から出力されたデータは復元データRec_Data[n]である。
【００２５】
フリップフロップ３０３は、シリアルデータSer_Data[n]をサンプリングクロックSmp_Clock[n]の立下りエッジのタイミングでラッチし、そのラッチしたデータを出力する。フリップフロップ３０４は、フリップフロップ３０３から出力されたデータをサンプリングクロックSmp_Clock[n]の立上りエッジのタイミングでラッチし、そのラッチしたデータを出力する。
【００２６】
排他的論理和回路３０５は、フリップフロップ３０１，３０２それぞれから出力されたデータを入力し、これら２つのデータの排他的論理和を表すデータを位相補間部２０３へ出力する。排他的論理和回路３０６は、フリップフロップ３０２，３０４それぞれから出力されたデータを入力し、これら２つのデータの排他的論理和を表すデータを位相補間部２０３へ出力する。排他的論理和回路３０５，３０６それぞれから出力されるデータは、復元データRec_Data[n]とサンプリングクロックSmp_Clock[n]との間の位相の前後関係を表す。位相補間部２０３は、排他的論理和回路３０５，３０６それぞれから出力されたデータに基づいて、出力するサンプリングクロックSmp_Clock[n]の位相を調整することができる。
【００２７】
第１実施形態の受信装置１は、Ｎチャネルのうちの第１チャネルについて設けられた特定受信部１１のみが回路規模が大きい復元部１０１を含み、第１チャネル以外の各チャネルについて設けられた(Ｎ−１)個の受信部１２２〜１２Ｎは復元部を含まない。したがって、本実施形態の受信装置１は、半導体基板上に形成する場合、必要面積を小さくすることができ、コストを安価にできる。本実施形態の受信装置１は、入力したシリアルデータに基づいて復元クロックを生成するので、参照クロックが不要であり、この点でもコスト安価にすることができ、また、シリアルデータのビットレートが時間的に変化した場合であっても利用が可能である。
【００２８】
（第２実施形態）
図３は、第２実施形態の受信装置２の構成を示す図である。受信装置２は、ＮチャネルのシリアルデータSer_Data[1]〜Ser_Data[N]を受信する。受信装置２は、１個の特定受信部２１および(Ｎ−１)個の受信部２２２〜２２Ｎを備える。(Ｎ−１)個の受信部２２２〜２２Ｎは同様の構成を有する。なお、Ｎは２以上の整数であり、ｎは２以上Ｎ以下の各整数である。Ｎチャネルのうち第１チャネルを特定チャネルとする。
【００２９】
特定受信部２１は、第１チャネル（特定チャネル）について設けられたものであり、第１チャネルのシリアルデータSer_Data[1]を入力する。特定受信部２１は、復元部１０２を含む。復元部１０２は、第１チャネルのシリアルデータSer_Data[1]を入力して、この入力したシリアルデータSer_Data[1]に基づいて復元した復元クロックRec_Clockを出力する。また、特定受信部２１は、サンプラ２０１、位相比較部２０２および位相補間部２０３を含む。
【００３０】
(Ｎ−１)個の受信部２２２〜２２Ｎのうちの第ｎの受信部２２ｎは、第ｎチャネルについて設けられたものであり、第ｎチャネルのシリアルデータSer_Data[n]を入力する。そして、受信部２２ｎは、この入力したシリアルデータSer_Data[n]に基づいて復元した復元データRec_Data[n]を出力する。受信部２２ｎは、サンプラ２０１、位相比較部２０２および位相補間部２０３を含む。
【００３１】
特定受信部２１および各受信部２２ｎそれぞれに含まれるサンプラ２０１、位相比較部２０２および位相補間部２０３は、第１実施形態におけるそれらと同様のものである。
【００３２】
図４は、特定受信部２１の復元部１０２の構成例を示す図である。復元部１０２は、位相比較部４０１、ループフィルタ４０２および電圧制御発振器４０３を含む。位相比較部４０１は、シリアルデータSer_Data[1]を入力するとともに、電圧制御発振器４０３から出力される復元クロックRec_Clockを入力する。位相比較部４０１は、シリアルデータSer_Data[1]と復元クロックRec_Clockとの間で位相を比較し、その位相差に応じた値の電気信号をループフィルタ４０２へ出力する。ループフィルタ４０２は、位相比較部４０１から出力された電気信号のうち低周波数成分を選択的に電圧制御発振器４０３へ出力する。電圧制御発振器４０３は、ループフィルタ４０２から出力された電気信号に応じた周波数の復元クロックRec_Clockを出力する。
【００３３】
第２実施形態では、第１実施形態の場合と同様の効果を奏する他、以下のような効果をも奏する。ＮチャネルのシリアルデータSer_Data[1]〜Ser_Data[N]それぞれにおいて互いに独立のスペクトラム拡散が施されている場合、復元部１０２のループフィルタ４０２の帯域を十分に小さくしておくのが好ましい。これにより、復元部１０２から出力される復元クロックRec_Clockを、スペクトラム拡散による周波数変調に対して追従しないようにする。一方、特定受信部２１および各受信部２２ｎそれぞれにおいて、位相補間部２０３が、各チャネルのシリアルデータSer_Data[n]の周波数変調に追従したサンプリングクロックSmp_Clock[n]を生成することができる。このように、第２実施形態の受信装置２は、ＮチャネルのシリアルデータSer_Data[1]〜Ser_Data[N]それぞれにおいて互いに独立のスペクトラム拡散が施されている場合にも利用可能である。
【００３４】
（第３実施形態）
図５は、第３実施形態の受信装置３の構成を示す図である。受信装置３は、ＮチャネルのシリアルデータSer_Data[1]〜Ser_Data[N]を受信する。受信装置３は、Ｎ個の受信部３２１〜３２Ｎ、復元部３３および選択部３４を備える。Ｎ個の受信部３２１〜３２Ｎは同様の構成を有する。なお、Ｎは２以上の整数であり、ｎは１以上Ｎ以下の各整数である。
【００３５】
受信部３２１〜３２Ｎのうちの第ｎの受信部３２ｎは、第ｎチャネルについて設けられたものであり、第ｎチャネルのシリアルデータSer_Data[n]を入力する。そして、受信部３２ｎは、この入力したシリアルデータSer_Data[n]に基づいて復元した復元データRec_Data[n]を出力する。受信部３２ｎは、サンプラ２０１、位相比較部２０２および位相補間部２０３を含む。これらサンプラ２０１、位相比較部２０２および位相補間部２０３は、第１実施形態におけるそれらと同様のものである。
【００３６】
復元部３３は、Ｎチャネルのうちの何れかのチャネルのシリアルデータを入力し、この入力したシリアルデータに基づいて復元した復元クロックRec_Clockを出力する。この復元部３３は、第２実施形態における復元部１０２と同様の構成を有する。復元部３３は、Ｎチャネルのうちの何れかの固定されたチャネルのシリアルデータを入力してもよいが、Ｎチャネルのうちから選択されたチャネルのシリアルデータを入力するのが好ましい。
【００３７】
選択部３４は、Ｎチャネルのうちの何れかのチャネルのシリアルデータを選択して、その選択したシリアルデータを復元部３３に与える。この選択に際しては、Ｎチャネルのうち現にデータ入力があるチャネルのシリアルデータを選択するのが好適であり、また、その中でもデータ品質が良好なシリアルデータを選択するのが好適である。データ品質は例えば信号レベルの大きさやアイの大きさである。復元部３３は、選択部３４により与えられたシリアルデータに基づいて復元クロックRec_Clockを生成し、その復元クロックRec_Clockを受信部３２１〜３２Ｎへ与える。
【００３８】
第３実施形態では、第２実施形態の場合と同様の効果を奏する他、以下のような効果をも奏する。第１実施形態および第２実施形態では第１チャネル（特定チャネル）にデータ入力がある必要があるのに対して、第３実施形態では、そのような制約がなく、何れかのチャネルにデータ入力があればよい。また、第３実施形態では、データ品質が良好なシリアルデータに基づいて復元した復元クロックRec_Clockを出力することができるので、受信エラーを低減することができる。
【００３９】
（第４実施形態）
図６は、第４実施形態の受信装置４の構成を示す図である。受信装置４は、ＮチャネルのシリアルデータSer_Data[1]〜Ser_Data[N]を受信する。受信装置４は、Ｎ個の受信部４２１〜４２Ｎ、復元部４３および選択部４４を備える。Ｎ個の受信部４２１〜４２Ｎは同様の構成を有する。なお、Ｎは２以上の整数であり、ｎは１以上Ｎ以下の各整数である。
【００４０】
受信部４２１〜４２Ｎのうちの第ｎの受信部４２ｎは、第ｎチャネルについて設けられたものであり、第ｎチャネルのシリアルデータSer_Data[n]を入力する。そして、受信部４２ｎは、この入力したシリアルデータSer_Data[n]に基づいて復元した復元データRec_Data[n]を出力する。受信部４２ｎは、サンプラ２０１、位相比較部２０２および位相補間部２０３を含む。これらサンプラ２０１、位相比較部２０２および位相補間部２０３は、第１実施形態におけるそれらと同様のものである。
【００４１】
復元部４３は、Ｎ個の受信部４２１〜４２Ｎのうちの何れかの受信部４２ｎの位相比較部２０２による位相比較結果を入力し、この入力した位相比較結果に基づいて復元した復元クロックRec_Clockを出力する。この復元部４３は、第２実施形態における復元部１０２の構成から位相比較部４０１を取り除いた構成とすることができる。復元部４３は、Ｎチャネルのうちの何れかの固定されたチャネルの位相比較結果を入力してもよいが、Ｎチャネルのうちから選択されたチャネルの位相比較結果を入力するのが好ましい。
【００４２】
選択部４４は、Ｎ個の受信部４２１〜４２Ｎのうちの何れかの受信部４２ｎの位相比較部２０２による位相比較結果を選択して、その選択した位相選択結果を復元部４３に与える。この選択に際しては、Ｎチャネルのうち現にデータ入力があるチャネルのシリアルデータを選択するのが好適である。復元部４３は、選択部４４により与えられた位相比較結果に基づいて復元クロックRec_Clockを生成し、その復元クロックRec_Clockを受信部４２１〜４２Ｎへ与える。
【００４３】
第４実施形態では、第３実施形態の場合と同様の効果を奏する他、復元部４３が位相比較部を含む必要がないので、復元部４３の回路規模を小さくすることができる。
【００４４】
（第５実施形態）
図７は、第５実施形態の受信装置５の構成を示す図である。受信装置５は、ＮチャネルのシリアルデータSer_Data[1]〜Ser_Data[N]を受信する。受信装置５は、Ｎ個の受信部５２１〜５２Ｎ、復元部５３および選択部５４を備える。Ｎ個の受信部５２１〜５２Ｎは同様の構成を有する。なお、Ｎは２以上の整数であり、ｎは１以上Ｎ以下の各整数である。
【００４５】
受信部５２１〜５２Ｎのうちの第ｎの受信部５２ｎは、第ｎチャネルについて設けられたものであり、第ｎチャネルのシリアルデータSer_Data[n]を入力する。そして、受信部５２ｎは、この入力したシリアルデータSer_Data[n]に基づいて復元した復元データRec_Data[n]を出力する。受信部５２ｎは、サンプラ２０１、位相比較部２０２および位相補間部２０３を含む。これらサンプラ２０１、位相比較部２０２および位相補間部２０３は、第１実施形態におけるそれらと同様のものである。
【００４６】
復元部５３は、Ｎチャネルのうちの何れかのチャネルのシリアルデータを入力するとともに、Ｎ個の受信部５２１〜５２Ｎのうちの何れかの受信部５２ｎの位相比較部２０２による位相比較結果を入力する。復元部５３は、この入力したシリアルデータおよび位相比較結果に基づいて復元した復元クロックRec_Clockを出力する。復元部５３は、Ｎチャネルのうちの何れかの固定されたチャネルのシリアルデータおよび位相比較結果を入力してもよいが、Ｎチャネルのうちから選択されたチャネルのシリアルデータおよび位相比較結果を入力するのが好ましい。
【００４７】
選択部５４は、Ｎチャネルのうちの何れかのチャネルのシリアルデータを選択するとともに、Ｎ個の受信部５２１〜５２Ｎのうちの何れかの受信部の位相比較部２０２による位相比較結果を選択して、その選択したシリアルデータおよび位相選択結果を復元部５３に与える。このシリアルデータの選択に際しては、Ｎチャネルのうち現にデータ入力があるチャネルのシリアルデータを選択するのが好適であり、また、その中でもデータ品質が良好なシリアルデータを選択するのが好適である。復元部５３は、選択部５４により与えられたシリアルデータおよび位相比較結果に基づいて復元クロックRec_Clockを生成し、その復元クロックRec_Clockを受信部５２１〜５２Ｎへ与える。
【００４８】
第５実施形態では、第４実施形態と同様の効果を奏する。
【００４９】
（第６実施形態）
図８は、第６実施形態の受信装置６の構成を示す図である。受信装置６は、ＮチャネルのシリアルデータSer_Data[1]〜Ser_Data[N]を受信する。受信装置６は、Ｎ個の受信部６２１〜６２Ｎ、復元部６３および選択部６４を備える。Ｎ個の受信部６２１〜６２Ｎは同様の構成を有する。なお、Ｎは２以上の整数であり、ｎは１以上Ｎ以下の各整数である。
【００５０】
第６実施形態における復元部６３は、第５実施形態における復元部５３と同じ構成を有する。第６実施形態における選択部６４は、第５実施形態における選択部５４と同じ構成を有する。第６実施形態における受信部６２ｎは、第５実施形態における受信部５２ｎの構成と比較すると、分周部２０４を更に含む点で相違する。分周部２０４は、復元部６３から出力された復元クロックRec_Clockを分周した分周クロックを位相補間部２０３に与える。分周部２０４における分周比は可変であるのが好適である。分周部２０４はフラクショナル分周器であってもよい。
【００５１】
第６実施形態では、第５実施形態の場合と同様の効果を奏する他、ＮチャネルのシリアルデータSer_Data[1]〜Ser_Data[N]の間でビットレートが一定でない場合であっても利用が可能である。
【００５２】
なお、第１〜第５の実施形態においても、各受信部が分周部を含んでいてもよい。
【符号の説明】
【００５３】
１〜６…受信装置、１１…特定受信部、１２２〜１２Ｎ…受信部、２１…特定受信部、２２２〜２２Ｎ…受信部、３２１〜３２Ｎ…受信部、３３…復元部、３４…選択部、４２１〜４２Ｎ…受信部、４３…復元部、４４…選択部、５２１〜５２Ｎ…受信部、５３…復元部、５４…選択部、６２１〜６２Ｎ…受信部、６３…復元部、６４…選択部、１０１，１０２…復元部、２０１…サンプラ、２０２…位相比較部、２０３…位相補間部、２０４…分周部。
【図１】
0006713786.tif 000002
【図２】
0006713786.tif 000003
【図３】
0006713786.tif 000004
【図４】
0006713786.tif 000005
【図５】
0006713786.tif 000006
【図６】
0006713786.tif 000007
【図７】
0006713786.tif 000008
【図８】
0006713786.tif 000009